(57)【要約】【課題】スイッチ部の固定接点と可動接点との接触位置を変化させることができるとともに、スイッチ部の組み込みを容易に行うことができるカード用コネクタ装置の提供。【解決手段】カード１０が挿入されるハウジング１と、このハウジング１内の所定の装着位置に装着されたカード１０を排出させるスライド部材４と、第１，第２固定接点９ａ，９ｂ、及び第２固定接点９ｂに常時導通し、第１固定接点９ａに接離可能な可動接点８から成るスイッチ部とを備え、スライド部材４の所定の装着位置方向への移動に伴って上述のスイッチ部が作動し、このスイッチ部の作動によってカード１０が所定の装着位置に装着されたことを検出するとともに、スイッチ部の第１，第２固定接点９ａ，９ｂをハウジング１に形成し、可動接点８をスライド部材４に取付けた構成にしてある。【選択図】図１
2007213857.tif 000002
【特許請求の範囲】
【請求項１】
カードが挿入されるハウジングと、上記カードの上記ハウジング内の所定の装着位置への挿入に伴って上記所定の装着方向へ移動するとともに、このハウジング内の上記所定の装着位置に装着された上記カードを排出させるスライド部材と、
固定接点及びこの固定接点に接離可能な可動接点から成るスイッチ部とを備え、
上記スライド部材の上記所定の装着位置方向への移動に伴って上記スイッチ部が作動し、このスイッチ部の作動によって上記カードが上記所定の装着位置に装着されたことを検出するカード用コネクタ装置において、
上記スイッチ部の上記固定接点を上記ハウジングに形成し、上記可動接点を上記スライド部材に取付けたことを特徴とするカード用コネクタ装置。
【請求項２】
上記請求項１記載の発明において、
上記可動接点がコイルばねから成ることを特徴とするカード用コネクタ装置。
【請求項３】
上記請求項１記載の発明において、
上記固定接点を上記スライド部材の摺動方向に沿って延設させて形成したことを特徴とするカード用コネクタ装置。
【発明の詳細な説明】
【技術分野】
【０００１】
本発明は、情報記憶媒体等に活用されるカードが、ハウジング内の所定の装着位置に装着されたことを検出するスイッチ部を備えたカード用コネクタ装置に関する。
【背景技術】
【０００２】
この種の従来技術として、特許文献１，２に示されるものがある。特許文献１には、本体を形成するハウジングの奥側位置に、第１，第２固定接点部と、この第１，第２固定接点部に接離可能な可動接点部とから成るスイッチ部を設けた点が開示されている。このスイッチ部は、例えばカードがハウジングに挿入されず、スライド部材が可動接点部に係合しない状態では、可動接点部が第１，第２固定接点部に接続され、オンに保たれる。また、カードの挿入に伴ってスライド部材が移動し、カードが所定の装着位置に至ると、スライド部材が可動接点を撓ませて、この可動接点が第１，第２固定接点から離れ、オフとなる。このスイッチ部のオフ動作により、カードが所定の装着位置に装着されたことが検出される。
【０００３】
特許文献２には、本体を形成する下部ハウジングの奥側位置の底面部に、固定スイッチ片と、この固定スイッチ片に接離可能な可動スイッチ片から成るスイッチ部を設けた点が開示されている。このスイッチ部も、上述した特許文献１に示される技術と同様に、例えばカードがハウジングに挿入されず、スライド部材が可動スイッチ片に係合しない状態では、可動スイッチ片が固定スイッチ片に接続され、オンに保たれる。また、カードの挿入に伴ってスライド部材が移動し、カードが所定の装着位置に至ると、スライド部材が可動スイッチ片を撓ませて、この可動スイッチ片が固定スイッチ片から離れ、オフとなる。このスイッチ部のオフ動作により、カードが所定の装着位置に装着されたことが検出される。
【特許文献１】特開２００２−２５２０６４公報
【特許文献２】特開２００５−１０８７６４公報
【発明の開示】
【発明が解決しようとする課題】
【０００４】
上述した特許文献１，２に示される従来技術はいずれも、固定接点と可動接点との接触位置がほぼ同じ位置であることから、この接触位置にゴミ等の異物が侵入した際に固定接点と可動接点との間に接触不良を生じる懸念がある。また、ハウジングに固定接点と可動接点とから成るスイッチ部を組み込む構成となっているので、このスイッチ部の組み込み工程が煩雑となり、当該カード用コネクタ装置の製作能率の向上を見込み難い問題もある。
【０００５】
本発明は、上述した従来技術における実状からなされたもので、その目的は、カードが所定の装着位置に装着されたことを検出するスイッチ部の固定接点と可動接点との接触位置を変化させることができるとともに、スイッチ部の組み込みを容易に行うことができるカード用コネクタ装置を提供することにある。
【課題を解決するための手段】
【０００６】
この目的を達成するために、本発明は、カードが挿入されるハウジングと、上記カードの上記ハウジング内の所定の装着位置への挿入に伴って上記所定の装着方向へ移動するとともに、このハウジング内の上記所定の装着位置に装着された上記カードを排出させるスライド部材と、固定接点及びこの固定接点に接離可能な可動接点から成るスイッチ部とを備え、上記スライド部材の上記所定の装着位置方向への移動に伴って上記スイッチ部が作動し、このスイッチ部の作動によって上記カードが上記所定の装着位置に装着されたことを検出するカード用コネクタ装置において、上記スイッチ部の上記固定接点を上記ハウジングに形成し、上記可動接点を上記スライド部材に取付けたことを特徴としている。
【０００７】
このように構成した本発明は、カードをハウジングに挿入する際には、カードの押し込みに伴って可動接点が取り付けられたスライド部材が所定の装着位置方向へ移動し、カードが所定の装着位置に至ったときに、スイッチ部が作動する。すなわち、スイッチ部が作動することによってハウジングに挿入されたカードが所定の装着位置に装着されたことが検出される。
【０００８】
上述のように、カードが所定の装着位置に装着されたことを検出するスイッチ部の動作は、スライド部材の摺動に伴って行われる。すなわち、スライド部材に取り付けられた可動接点が固定接点上を摺動することによって行われ、固定接点と可動接点との接触位置をスライド部材の摺動に伴って変化させることができる。これにより、仮にスイッチ部にゴミ等の異物が侵入したとしても、可動接点が固定接点上を摺動することによってセルフクリーニングされ、侵入したゴミ等の異物を固定接点と可動接点との接触に支障のないように除去することができ、固定接点と可動接点との間の接触不良を防ぐことができる。
【０００９】
また、固定接点をハウジングに形成し、可動接点をスライド部材に取り付けることによってカードが所定の装着位置に装着されたことを検出するスイッチ部を構成したことから、スライド部材のハウジングへの組み込み工程がそのままスイッチ部の組み込み工程となり、このスイッチ部の組み込みを容易に行うことができる。
【００１０】
また、本発明は上記発明において、上記可動接点がコイルばねから成ることを特徴としている。このように構成した本発明は、コイルばねから成る可動接点の端部を自身の弾性力を介して固定接点に接触するようにスライド部材に取り付けることにより、可動接点と固定接点との間に所望の接触圧を確保できる。また、可動接点を構成するコイルばねは一般に安定した簡単な形状とすることができるので、スイッチ部の構造の簡略化を実現できる。
【００１１】
また、本発明は上記発明において、上記固定接点を上記スライド部材の摺動方向に沿って延設させて形成したことを特徴としている。このように構成した本発明は、スライド部材に取り付けられた可動接点とハウジングに形成された固定接点との接触距離を長く確保することができ、固定接点と可動接点との間の接触不良の防止に貢献する。
【発明の効果】
【００１２】
本発明は、カードが所定の装着位置に装着されたことを検出するスイッチ部の固定接点をハウジングに形成し、可動接点をスライド部材に取付けた構成にしたことから、スライド部材の摺動に伴ってスイッチ部の固定接点と可動接点との接触位置を変化させることができ、これにより従来懸念されていたゴミ等の異物の侵入による固定接点と可動接点との間の接触不良を防ぐことができ、当該カード用コネクタ装置の信頼性を従来に比べて向上させることができる。また、スイッチ部の組み込みを容易に行うことができ、当該カード用コネクタ装置の製作能率を従来に比べて向上させることができる。
【発明を実施するための最良の形態】
【００１３】
以下，本発明に係るカード用コネクタ装置を実施するための最良の形態を図に基づいて説明する。
【００１４】
［本実施形態の構成］
図１は本発明に係るカード用コネクタ装置の一実施形態を示す図で、（ａ）図は平面図、（ｂ）図は右側面図、（ｃ）図は左側面図、図２は本実施形態に備えられるスライド部材を示す図で、（ａ）図は平面図、（ｂ）図は左側面図、（ｃ）図は裏面図、図３は本実施形態に備えられるハウジングの一部を拡大して示した図である。
【００１５】
本実施形態は、図１に示すように、本体を形成する例えば合成樹脂から成るハウジング１を備え、このハウジング１の手前側端部には後述のカード１０が挿入される挿入口２を形成してある。例えば、このハウジング１の奥側位置には、後述のカード１０が接触可能な複数の接続端子３をインサート成形により埋設させてある。なお、この図１及び後述の図５〜８等においては、説明を分かりやすくするためにハウジング１を覆うように配置されるカバー部材については、図示を省略してある。
【００１６】
図１に示すように、ハウジング１の一方の側縁部付近には、所定の装着位置に装着された後述のカード１０を排出させるスライド部材４を配置してある。また、このスライド部材４をカード排出方向に付勢する付勢部材５を設けてある。スライド部材４にはハウジング１内に挿入された後述のカード１０が係合する係合部４ａを形成してある。
【００１７】
ハウジング１には、後述のカード１０が所定の装着位置に装着された状態でスライド部材４が摺動しないようにロックするロック機構を構成する摺動部材６を設けてある。この摺動部材６の一端６ａはハウジング１に揺動自在に保持され、他端６ｂには図示しないが摺動ピンを設けてある。図２に示すように、スライド部材４には上述した摺動部材６と共にロック機構を構成し、上述の摺動部材６の他端６ｂに設けられた図示しない摺動ピンが係合するハートカム７を形成してある。このハートカム７は、摺動部材６の図示しない摺動ピンが摺動する往路７ａ及び復路７ｂと、これらの往路７ａと復路７ｂとの間に位置し、図示しない摺動ピンの動きを規制するロック部７ｃとを有している。
【００１８】
本実施形態は特に、図２等に示すように、後述のカード１０がハウジング１内の所定の装着位置に装着されたことを検出するスイッチ部を構成する可動接点８を、スライド部材４に取り付けてある。この可動接点８は、例えばコイルばねから成っている。
【００１９】
この可動接点８の端部が接触可能な２つの固定接点、すなわち第１固定接点９ａ及び第２固定接点９ｂを、図３に示すようにハウジング１に形成してある。第１固定接点９ａは、後述のカード１０が所定の装着位置に装着されたときに可動接点８の端部が接触する固定接点であり、第２固定接点９ｂは可動接点８の端部が常時接触する固定接点である。これらの第１固定接点９ａ及び第２固定接点９ｂは、例えばスライド部材４の摺動方向に沿って延設させて形成してある。
【００２０】
［本実施形態に使用されるカードの一例］
図４は本実施形態に使用されるカードの一例を示す図で、（ａ）図は平面図、（ｂ）図は右側面図、（ｃ）図は左側面図である。
【００２１】
この図４に示すように、上述した本実施形態に係るカード用コネクタ装置に挿入されるカード１０は、本実施形態への挿入時に先端部を形成する部分の隅部に、上述したスライド部材４の係合部４ａの前縁部に相応する形状の切り欠き部１０ａを形成してあり、同図４の（ｂ）図に示すように裏面に、上述したハウジング１に設けた接続端子３に接続可能な接触部１０ｂを形成してある。
【００２２】
［カードの装着操作］
図５は本実施形態に図４に示すカードが挿入された直後の状態を示す図で、（ａ）図は平面図、（ｂ）図は右側面図、（ｃ）図は左側面図、図６は図５に示す状態からカードがさらに押し込まれた状態を示す図で、（ａ）図は平面図、（ｂ）図は右側面図、（ｃ）図は左側面図、図７はカードがオーバストローク位置まで押し込まれた状態を示す図で、（ａ）図は平面図、（ｂ）図は右側面図、（ｃ）図は左側面図、図８はカードが所定の装着位置に装着された状態を示す図で、（ａ）図は平面図、（ｂ）図は右側面図、（ｃ）図は左側面図である。
【００２３】
図５に示すように、本実施形態のハウジング１の挿入口２からカード１０が挿入され、押し込まれると、カード１０の切り欠き部１０ａがスライド部材４の係合部４ａに係合する。この状態にあっては、同図５の（ｂ）図に示すように、カード１０の接触部１０ｂとハウジング１の端子部材３とは接続されていない。また、同図５の（ｃ）図に示すように、可動接点８の端部は第２固定接点９ｂに接触しているものの、第１固定接点９ａには接触していない。すなわち、第１固定接点９ａと第２固定接点９ｂとが導通しないので、このスイッチ部はオフとなっている。
【００２４】
この状態からカード１０が押し込まれると、図６に示すように、カード１０の押し込みに伴ってスライド部材４が付勢部材５の付勢力に抗して装置の奥側位置に向かって摺動する。この状態にあっては、同図６の（ｂ）図に示すように、カード１０の接触部１０ｂがハウジング１の端子部材３に接触し始めるものの、同図６の（ｃ）図に示すように、可動接点８の端部はまだ第１固定接点９ａには接触していない。
【００２５】
なおこの間、スライド部材４の移動に伴って、摺動部材６の他端６ｂの図示しない摺動ピンは、スライド部材４に形成したハートカム７の往路７ａ上を相対的に摺動する。
【００２６】
図６に示す状態からさらにカード１０をハウジング１の奥側位置に向かって押し込むと、図７に示すように、カード１０は所定の装着位置を越えるオーバストローク位置まで移動する。この状態にあっては、同図７の（ｂ）図に示すように、カード１０の接触部１０ｂとハウジング１の端子部材３との接続が維持されるとともに、同図７の（ｃ）図に示すように、スライド部材４に取り付けた可動接点８の端部が、第１固定接点９ａにも接触する。すなわち可動接点８を介して第１固定接点９ａと第２固定接点９ｂとが導通し、このスイッチ部はオンとなる。
【００２７】
ここで、カード１０に加えられていた押し込み力を除くと、付勢部材５の付勢力によってスライド部材４はカード排出方向にわずかに摺動し、図８に示すように、摺動部材６の他端６ｂの図示しない摺動ピンがハートカム７のロック部７ｃに係合する。これによって、スライド部材４は摺動しないようにロックされ、カード１０は所定の装着位置に装着される。この状態にあっては、同図８の（ａ）図に示すように、カード１０の接触部１０ｂとハウジング１の端子部材３との接触が維持されるとともに、同図８の（ｃ）図に示すように、可動接点８を介しての第１固定接点９ａと第２固定接点９ｂとの導通が維持される。すなわちスイッチ部はオン状態に保たれる。
【００２８】
このように、カード１０が所定の装着位置に装着された状態では、カード１０の接触部１０ｂとハウジング１の接続端子３との導通によって、カード１０に対する信号の送受信が可能となる。
【００２９】
［カードの排出操作］
また、上述のように、カード１０が所定の装着位置に装着されている状態から、このカード１０を排出するには、ハウジング１の挿入口２から突出しているカード１０の端部を再び押すことが行われる。
【００３０】
このカード１０の押し込みに伴ってスライド部材４がハウジング１の奥側位置に向かって移動し、スライド部材４のハートカム７のロック部７ｃに係合していた摺動部材６の他端６ｂの図示しない摺動ピンがロック部７ｃから離脱し、復路７ｂに係合する。ここでカード１０に与えていた押し込み力を除くと、付勢部材５の付勢力によってスライド部材４がカード排出方向に摺動する。この間、摺動部材６の他端６ｂの図示しない摺動ピンが相対的に復路７ｂ上を摺動する。したがって、スライド部材４の係合部４ａによってカード１０も排出方向に移動し、上述した図５に示す状態に至る。ここで例えばカード１０の抜き取りが行われる。
【００３１】
なお、上述したカード１０の排出動作の間、カード１０の接触部１０ｂとハウジング１の接続端子３間が遮断されるとともに、スライド部材４の可動接点８の端部が第１固定接点９ａから離れ、これによって第１固定接点９ａと第２固定接点９ｂ間が遮断されて、スイッチ部はオフとなる。
【００３２】
［本実施形態の効果］
このように構成した本実施形態によれば、上述したように、カード１０が所定の装着位置に至ったときに、可動接点８及び第１，第２固定接点９ａ，９ｂから成るスイッチ部がオンとなって、カード１０が所定の装着位置に装着されたことが検出される。
【００３３】
上述したスイッチ部のオン動作は、スライド部材４の摺動に伴って行われる。すなわち、スライド部材４に取り付けられた可動接点８の端部が、第１，第２固定接点９ａ，９ｂ上を摺動することによって行われ、第１，第２固定接点９ａ，９ｂと可動接点８の端部との接触位置をスライド部材４の摺動に伴って変化させることができる。仮にスイッチ部にゴミ等の異物が侵入したとしても、可動接点８の端部が第１，第２固定接点９ａ，９ｂ上を摺動することによってセルフクリーニングされ、侵入したゴミ等の異物を第１，第２固定接点９ａ，９ｂと可動接点８の端部との接触に支障のないように除去することができる。これにより、第１，第２固定接点９ａ，９ｂと可動接点８との間の接触不良を防ぐことができ、高い信頼性を確保できる。
【００３４】
また、第１，第２固定接点９ａ，９ｂをハウジング１に形成し、可動接点８をスライド部材４に取り付けることによってカード１０が所定の装着位置に装着されたことを検出するスイッチ部を構成したことから、スライド部材４のハウジング１への組み込み工程がそのままスイッチ部の組み込み工程となり、このスイッチ部の組み込みを容易に行うことができる。これにより、このカード用コネクタ装置の製作能率を向上させることができる。
【００３５】
また、コイルばねから成る可動接点８の端部を自身の弾性力を介して第１，第２固定接点９ａ，９ｂに接触するようにスライド部材４に取り付けることにより、可動接点８と第１，第２固定接点９ａ，９ｂとの間に所望の接触圧を確保でき、精度の高いスイッチング機能を得ることができる。また、可動接点８を構成するコイルばねは一般に安定した簡単な形状とすることができるので、スイッチ部の構造の簡略化を実現でき、信頼性の向上に貢献する。
【００３６】
また、第１，第２固定接点９ａ，９ｂをスライド部材４の摺動方向に沿って延設させて形成したことから、スライド部材４に取り付けられた可動接点８の端部と、ハウジング１に形成された第１，第２固定接点９ａ，９ｂとの接触距離を長く確保することができ、第１，第２固定接点９ａ，９ｂと可動接点８との間の接触不良の防止に貢献する。
【００３７】
なお、上記実施形態では、可動接点８をコイルばねによって構成してあるが、本発明は、このように構成することには限られない。可動接点８をコイルばねに代えて板ばね等によって構成するようにしてもよい。
【００３８】
また、上記実施形態では、スイッチ部を構成する可動接点８と第１，第２固定接点９ａ，９ｂとの配置関係を、カード１０が所定の装着位置に装着されないときにはスイッチ部がオフとなり、カード１０が所定の装着位置に装着されたときにスイッチ部がオンとなる関係に設定してあるが、本発明は、このような配置関係とすることには限られない。すなわち、カード１０が所定の装着位置に装着されないときにはスイッチ部がオンとなり、カード１０が所定の装着位置に装着されたときにスイッチ部がオフとなるように、スイッチ部を構成する可動接点８と第１，第２固定接点９ａ，９ｂとの配置関係を設定してもよい。
【図面の簡単な説明】
【００３９】
【図１】本発明に係るカード用コネクタ装置の一実施形態を示す図で、（ａ）図は平面図、（ｂ）図は右側面図、（ｃ）図は左側面図である。
【図２】本実施形態に備えられるスライド部材を示す図で、（ａ）図は平面図、（ｂ）図は左側面図、（ｃ）図は裏面図である。
【図３】本実施形態に備えられるハウジングの一部を拡大して示した図である。
【図４】本実施形態に使用されるカードの一例を示す図で、（ａ）図は平面図、（ｂ）図は右側面図、（ｃ）図は左側面図である。
【図５】本実施形態に図４に示すカードが挿入された直後の状態を示す図で、（ａ）図は平面図、（ｂ）図は右側面図、（ｃ）図は左側面図である。
【図６】図５に示す状態からカードがさらに押し込まれた状態を示す図で、（ａ）図は平面図、（ｂ）図は右側面図、（ｃ）図は左側面図である。
【図７】カードがオーバストローク位置まで押し込まれた状態を示す図で、（ａ）図は平面図、（ｂ）図は右側面図、（ｃ）図は左側面図である。
【図８】カードが所定の装着位置に装着された状態を示す図で、（ａ）図は平面図、（ｂ）図は右側面図、（ｃ）図は左側面図である。
【符号の説明】
【００４０】
１    ハウジング
２    挿入口
３    接続端子
４    スライド部材
４ａ  係合部
５    付勢部材
６    摺動部材
６ａ  一端
６ｂ  他端
７    ハートカム
７ａ  往路
７ｂ  復路
７ｃ  ロック部
８    可動接点
９ａ  第１固定接点
９ｂ  第２固定接点
１０    カード
１０ａ  切り欠き部
１０ｂ  接触部
【図１】
2007213857.tif 000003
【図２】
2007213857.tif 000004
【図３】
2007213857.tif 000005
【図４】
2007213857.tif 000006
【図５】
2007213857.tif 000007
【図６】
2007213857.tif 000008
【図７】
2007213857.tif 000009
【図８】
2007213857.tif 000010